(57)【要約】【課題】結線時の押力が取付爪の突出方向に作用する構成としながらも、ハウジングを作業面に対して安定に保ち、作業面に傷を付けることがないモジュラジャックを提供する。【解決手段】取付枠に取り付けるための取付爪１４ａを有した取付カバー１と、モジュラプラグが差し込まれるモジュラジャック本体２とが結合される。モジュラジャック本体２は、電線を押し込むことによって接続する接続スリットを備えた端子片が列設された端子基台２３を備え、取付カバー１は端子基台２３に重なる台座部１２を備える。端子片に電線を押し込む押力は取付爪１４ａの突出方向に作用させる。取付爪１４ａの突出方向における台座部１２の一面を作業面に当接させる押当面１２ａする。押当面１２ａは平面であって、押当面１２ａを含む平面から取付爪１４ａが突出しないように形成される。【選択図】        図１
2005310559.tif 000002
【特許請求の範囲】
【請求項１】
モジュラプラグが挿入されるプラグ差込口が一面に開口した絶縁材料からなるハウジングと、配線器具用の取付枠に設けた取付孔に係合することにより取付枠に保持されるようにハウジングの両側面から突出する取付爪と、ハウジングにおいて取付爪の突出方向に直交する一面に列設されプラグ差込口の中に配列されたコンタクトと電気的に接続された複数の端子片とを備え、各端子片は、厚み方向に沿って配置した電線に端子片の先端からハウジングに向かう押力を作用させることにより電線の絶縁被覆を切るとともに電線の芯線が挿入されるように先端縁に開放された接続スリットをそれぞれ有し、ハウジングは、電線に押力を作用させる向きにおける前記一面に対する裏面に平面である押当面を有し、押当面を含む平面から取付爪が突出しないように押当面が形成されていることを特徴とするモジュラジャック。
【請求項２】
前記ハウジングは、前記コンタクトおよび前記端子片を備えるモジュラジャック本体の器体と、前記取付爪を有しモジュラジャック本体が結合される取付カバーとからなり、取付カバーは、モジュラジャック本体において前記端子片を列設した端子基台に重なる台座部を備え、前記押当面は、取付爪の突出方向における台座部の一面であることを特徴とする請求項１記載のモジュラジャック。
【発明の詳細な説明】
【技術分野】
【０００１】
本発明は、モジュラプラグが挿入されるプラグ差込口に配列したコンタクトと電気的に接続された複数の端子片を備え、各端子片が電線を押し込むだけで電線の絶縁被覆を切るとともに電線の芯線と接続される接続スリットを有しているモジュラジャックに関するものである。
【背景技術】
【０００２】
従来から、コンピュータネットワークや電話回線において使用されるモジュラジャックとして、図８に示すように、端子基台２３に接続壁２６が立設され、接続壁２６に設けた電線保持溝２６ａにツイストペアケーブル６の電線６１を押し込むことによって結線するものが提供されている。接続壁２６において電線保持溝２６ａに対応する部位には接続スリットを備えた端子片が配置され、端子片の厚み方向に配置した電線を接続スリットに押し込むことによって、電線の絶縁被覆が接続スリットの周縁によって切られ、電線の芯線が接続スリットの中で保持されるとともに端子片に電気的に接続されるように構成されている（たとえば、特許文献１参照）。この種の端子はＩＤＣ端子として知られている。
【０００３】
また、図示するモジュラジャックは、配線器具用の取付枠に取り付けることができるように、ハウジング１′の両側面に取付枠と係合する各一対の取付爪１４ａが突設されている。電線保持溝２６ａは取付爪１４ａの突出方向に沿って形成されており、電線６１において端子片に接続される部位は取付爪１４ａの突出方向に沿って配置されることになる。つまり、電線６１を端子片に接続する際には、取付爪１４ａの突出方向とは直交する方向の力を電線６１に作用させることになる。ハウジング１′は正面から見て長方形状に形成されており、長手方向の両端部に取付爪１４ａが突設された形状を有している。一方、電線６１を接続するには短手方向に押力を作用させるのであって、ハウジング１′において短手方向の両面は平面状であるから、ハウジング１′の一面を机上面や壁面のような作業面に当接させることにより電線６１を接続する際の押力を、比較的面積の広いハウジング１′の一面を介して作業面で受けることが可能になる。つまり、押力を作用させる間にハウジング１′をぐらつくことなく安定に保ち、作業面に傷を付けることなく結線作業を行うことが可能である。
【特許文献１】特開２００４−５５３０３号公報（第００１４段落、第００１８段落、図３）
【発明の開示】
【発明が解決しようとする課題】
【０００４】
ところで、上述した構成のモジュラジャックは、ハウジング１′の正面から見て短手方向を上下方向として壁面のような施工面に取り付けられることを想定しているが、ハウジング１′の正面から見て長手方向を上下方向として施工面に取り付けることが要求される場合がある。また、クロストークなどの電気的性能の要求から、モジュラプラグに接続されるコンタクトは、端子片が並んでいる面（端子基台２３の一面）に沿う一方向に配列しなければならず、したがって電線保持溝２６ａに電線６１を押し込むための押力を作用させる方向はコンタクトが配列されている方向によって規制される。
【０００５】
すなわち、ハウジング１′の正面から見て長手方向を上下方向として施工面に取り付ける場合には、電線６１を電線保持溝２６ａに押し込むための押力を取付爪１４ａの突出方向に作用させることになるから、作業面に取付爪１４ａを当接させることになり、ハウジング１′を安定に保つことができない上に、取付爪１４ａによって作業面に傷を付けるおそれがある。
【０００６】
本発明は上記事由に鑑みて為されたものであり、その目的は、電線を結線する際の押力を取付爪の突出方向に作用させる構成としながらも、ハウジングを作業面に対して安定に保つことができ、しかも取付爪による傷が作業面に付かないようにしたモジュラジャックを提供することにある。
【課題を解決するための手段】
【０００７】
請求項１の発明は、モジュラプラグが挿入されるプラグ差込口が一面に開口した絶縁材料からなるハウジングと、配線器具用の取付枠に設けた取付孔に係合することにより取付枠に保持されるようにハウジングの両側面から突出する取付爪と、ハウジングにおいて取付爪の突出方向に直交する一面に列設されプラグ差込口の中に配列されたコンタクトと電気的に接続された複数の端子片とを備え、各端子片は、厚み方向に沿って配置した電線に端子片の先端からハウジングに向かう押力を作用させることにより電線の絶縁被覆を切るとともに電線の芯線が挿入されるように先端縁に開放された接続スリットをそれぞれ有し、ハウジングは、電線に押力を作用させる向きにおける前記一面に対する裏面に平面である押当面を有し、押当面を含む平面から取付爪が突出しないように押当面が形成されていることを特徴とする。
【０００８】
この構成によれば、取付爪の突出方向に直交する一面に端子片が列設され、電線の結線のための押力を取付爪の突出方向に作用させることを前提とし、ハウジングにおいて電線に押力を作用させる向きにおける端子片が列設されている面の裏面に、平面である押当面を設けるとともに、押当面を含む平面から取付爪が突出しないように押当面を形成しているから、電線の結線の際に机上面や壁面のような作業面に平面である押当面を当接させることで、ハウジングがぐらつかないように支持することができ、しかも押力が作用しても取付爪が作業面に当接することがないから、作業面に傷を付けることもない。
【０００９】
請求項２の発明では、請求項１の発明において、前記ハウジングは、前記コンタクトおよび前記端子片を備えるモジュラジャック本体の器体と、前記取付爪を有しモジュラジャック本体が結合される取付カバーとからなり、取付カバーは、モジュラジャック本体において前記端子片を列設した端子基台に重なる台座部を備え、前記押当面は、取付爪の突出方向における台座部の一面であることを特徴とする。
【００１０】
この構成によれば、モジュラジャック本体と取付カバーとを結合しているから、取付カバーの設計を変更するだけで、モジュラジャック本体を共通部品として用いながらも種々形態のモジュラジャックを提供することができる。また、モジュラジャック本体に設けた端子基台に重なる台座部を取付カバーに設け台座部の一面を押当面としているから、請求項１の条件を満たす構造を取付カバーによって実現でき、モジュラジャック本体としては従来から提供されている種々形状のものを流用することが可能になる。つまり、最小限の設計変更で対応することができ、設計コストや製造コストの増加を抑制することができる。
【発明の効果】
【００１１】
本発明の構成によれば、電線の結線の際に机上面や壁面のような作業面に平面である押当面を当接させることで、ハウジングがぐらつかないように支持することができ、結線時の作業性がよく、しかも押力が作用しても取付爪が作業面に当接することがないから、作業面に傷を付けることもないという利点がある。
【発明を実施するための最良の形態】
【００１２】
本発明の実施の形態を図１、図２に示す。図に示すモジュラジャックは、主としてコンピュータネットワークの構築に用いられ、たとえばＣＡＴ５Ｅのモジュラジャックとして用いることができるものである。また、このモジュラジャックは、壁面のような施工面に後部（図１（ｂ）の左部）を埋め込んだ形で施工される埋込型の配線器具を施工面に取り付ける際に用いる取付枠（図６、図７参照）に取着可能な形状に形成されている。図示する取付枠は、単位寸法の配線器具を３個まで取付可能な３個用の取付枠であって、本実施形態のモジュラジャックは図示する取付枠に対して最大３個まで取り付けることができる寸法に形成されている。
【００１３】
モジュラジャックは、取付枠に取着するための取付カバー１を有し、取付カバー１には、モジュラプラグを差し込むためのプラグ差込口２１が前面（図１（ａ）の正面）に開口したモジュラジャック本体２が結合される。つまり、モジュラジャック本体２の器体２０と取付カバー１とによりハウジングが形成される。
【００１４】
モジュラジャック本体２は、図３に示すように、絶縁材料である合成樹脂の成形品からなる器体２０を有し、器体２０の前部にはプラグ差込口２１が前面に開口するプラグ接続台２２を有し、器体２０の後部には端子基台２３が設けられる。プラグ差込口２１の内側には、プラグ差込口２１に挿入されるモジュラプラグの接触子にそれぞれ弾接する８本のコンタクトばね２４が配列され、各コンタクトばね２４は、端子基台２３に列設された端子片２５（図４参照）にそれぞれ電気的に接続される。
【００１５】
プラグ接続台２２と端子基台２３とは左右の幅寸法が略等しく、端子基台２３の幅方向の両側部にはそれぞれ接続壁２６が立設される。両接続壁２６の間には後述するキャップ２７が装着され、キャップ２７が装着された状態ではプラグ接続台２２の上下方向の一面とキャップ２７の一面とがほぼ同じ平面上に位置する。また、両接続壁２６とキャップ２７とに囲まれる部位には、４対８芯のツイストペアケーブル６（図３参照）を導入可能な導入溝２８が形成される。
【００１６】
各接続壁２６には、それぞれ導入溝２８の延長方向に直交する方向に延長され接続壁２６の表裏に貫通する４個ずつの電線保持溝２６ａが形成され、各電線保持溝２６ａの延長方向における中間部には、それぞれ電線保持溝２６ａに直交するとともに端子基台２３の厚み方向の表裏に貫通する端子片保持溝２６ｂが１個ずつ形成される。したがって、電線保持溝２６ａと端子片保持溝２６ｂとを平面視すると十文字状になる。各端子片保持溝２６ｂの中には上述した端子片２５がそれぞれ挿入される。各接続壁２６に形成された４個ずつの端子片保持溝２６ｂは千鳥状に配列されている。つまり、導入溝２８の延長方向において隣接する端子片保持溝２６ｂは、端子片２５の厚み方向においてずれるように配置される。各接続壁２６において隣接する電線保持溝２６ａは対になる電線を保持し、各接続壁２６には２対ずつの電線が接続される。また、接続壁２６において、対になる電線を保持する電線保持溝２６ａの間の部位には角錐状に形成された分離突部２６ｃが形成され、図３のように、ツイストペアケーブル６において対になっている２本の電線６１の間に分離突部２６ｃを挿入することで、２本の電線６１を各電線保持溝２６ａに容易に導入できるようにしてある。
【００１７】
端子片２５は端子片２５の先端縁に開放された接続スリット（図示せず）を有した二股のフォーク状に形成され、接続スリットの位置が電線保持溝２６ａの位置に一致するように端子片保持溝２６ｂの中に配置される。また、端子片２５は先端ほど薄肉になるように形成されており、電線保持溝２６ａに導入された電線が端子片２５の先端から基端に向かう向きの押力を受けると、端子片２５の先端縁で電線の絶縁被覆が切られ、接続スリットに導入された電線の芯線が接続スリットに保持されるようになっている。要するに、端子片２５の厚み方向に延長された電線を、端子片２５の接続スリットに位置合わせし、端子片２５の先端から基端に向かう押力を電線に作用させるだけで、電線の絶縁被覆を切り電線の芯線を端子片２５に接続することができるのである。この種の端子の構造はＩＤＣ端子として知られている。
【００１８】
端子片２５への電線の接続には電線に押力を作用させる必要があり、しかも電線に作用させる押力は端子片２５の厚み方向の両側において等しくすることが望ましい。また、上述の構造で接続された電線は、接続スリットに沿う方向で端子片２５の基端から先端に向かう向きの力を受けると端子片２５から外れるおそれがあるから、電線の外れ防止のために端子基台２３にはキャップ２７が装着可能になっている
キャップ２７は、図５に示すように、接続壁２６との対向面において各電線保持溝２６ａにそれぞれ挿入可能な８個の押さえ片２７ａを備え、各押さえ片２７ａには端子片２５を跨ぐ切込部２７ｂが形成される。また、キャップ２７の各側部にはそれぞれクリップレバー２７ｃが連続一体に設けられる。各クリップレバー２７ｃは、押さえ片２７ａの突出方向における一端部にそれぞれ引掛孔２７ｄを有し他端部につまみ部２７ｅを有している。また、クリップレバー２７ｃの両側部には可撓性を有するヒンジ片２７ｆが設けられ、両クリップレバー２７ｃの上記一端部間の距離が可変になっている。つまり、両クリップレバー２７ｃのつまみ部２７ｅを指でつまむことにより、つまみ部２７ｅ間の距離を近付けるように外力を作用させると、両クリップレバー２７ｃの上記一端部間の距離が広がり、外力を除去すればヒンジ片２７ｆの弾性によって両クリップレバー２７ｃの上記一端部間の距離が元に戻るように形成されている。
【００１９】
クリップレバー２７ｃに設けた引掛孔２７ｄは、モジュラジャック本体２における各接続壁２６の外側面に突設した引掛突起２６ｄに係合可能であり、キャップ２７に設けた押さえ片２７ａを接続壁２６に設けた各電線保持溝２６ａにそれぞれ挿入し、キャップ２７を接続壁２６に押し付けると引掛孔２７ｄが引掛突起２６ｄに係合し、キャップ２７が器体２０に保持される。この状態で押さえ片２７ａが電線６１の浮き上がりを防止するから、電線６１の外れ防止になる。一方、器体２０に装着されたキャップ２７を外すには、両クリップレバー２７ｃに設けたつまみ部２７ｄ間の距離を小さくするように指でつまみ部２７ｄをつまめば引掛孔２７ｄが引掛突起２６ｄから外れ、キャップ２７を器体２０から取り外すことが可能になる。
【００２０】
キャップ２７には、キャップ２７を器体２０に装着した状態で導入溝２８においてツイストペアケーブル６に干渉しない部位に挿入される押込片２７ｇが形成される。押込片２７ｇは、電線保持溝２６ａに挿入可能であって、押さえ片２７ａよりも突出寸法が大きく、かつ押さえ片２７ａに形成した切込部２７ｂよりも深い切込溝２７ｈを備える。押込片２７ｇは、電線保持溝２６ａに電線を挿入した後に、電線を電線保持溝２６ａに深く押し込むことによって、電線の絶縁被覆を端子片２５で確実に切るとともに端子片２５の接続スリットに電線の芯線を押し付けるために用いられる。
【００２１】
モジュラジャック本体２が結合される取付カバー１は絶縁材料である合成樹脂の成形品であり、モジュラジャック本体２のプラグ接続台２２が挿入される矩形枠状の前枠部１１と、前枠部１１から後方に延長されモジュラジャック本体２の端子基台２３が重ねて配置される台座部１２とを連続一体に備える。また、前枠部１１の前面にはモジュラジャック本体２に形成したプラグ差込口２１を開閉する扉体３１を備えた扉ブロック３が装着される。
【００２２】
前枠部１１は前後に貫通しており、プラグ接続台２２の両側面に進退可能に突出する固定爪２２ａが係合する固定溝１１ａを内側面に備え、固定爪２２ａが固定溝１１ａに係合した状態においてモジュラジャック本体２の取付カバー１に対する後方への移動を禁止する。また、モジュラジャック本体２の取付カバー１に対する前方への移動を禁止するために、プラグ接続台２２の両側面にそれぞれ突設された係止突起２２ｂが後方から当接する係止段差部１１ｂが前枠部１１の内周面に形成される。さらに、モジュラジャック本体２におけるプラグ接続台２２の後部付近には、前枠部１１の一部に後方から当接することにより取付カバー１に対するモジュラジャック本体２の前方への移動を禁止するストッパ突起２２ｃ、２２ｄが形成されている。ストッパ突起２２ｃはプラグ接続台２２の後部両側面において図２の上部に突設され、ストッパ突起２２ｄはプラグ接続台２２の図２における下面で端子基台２３との接続部付近に形成される。
【００２３】
前枠部１１の長手方向（図２の上下方向）の両外側面には肩部１３が張り出して形成され、各肩部１３の先端面には後述する取付枠４に係合する取付爪１４ａが各一対突設される。また、各肩部１３の先端部であって取付爪１４ａの間の部位には差込溝１３ａが形成される。さらに、前枠部１１の長手方向の両外側面であって各肩部１３の基部には、取付凹所１４ｂが凹設される。取付凹所１４ｂは配線器具用の金属製の取付枠（図示せず）に取り付ける際に用いるが、周知であるから説明を省略する。
【００２４】
ところで、一方の肩部（図２の下側の肩部）１３の後面には台座部１２が一体に連続して形成される。台座部１２は角筒状に形成され後面は開放されている。台座部１２は肩部１３よりも図２の下側に突出し、かつ図２における台座部１２の下面である押当面１２ａは全面に亘って平面に形成されている。押当面１２ａは図２における上下方向に直交する面であって、端子片２５に対して電線を接続する際に電線保持溝２６ａに電線を押し込む方向に略直交する。すなわち、ハウジング（器体２０と取付カバー１）において端子片２５が突設された面は取付爪１４ａの突出方向に直交する面であって、押当面１２ａは取付爪１４ａの突出方向において端子片２５が突出している面の裏面になる。また、押当面１２ａを含む平面に対して取付爪１４ａが突出しないように、肩部１３に対する台座部１２の突出寸法が設定されている。台座部１２の押当面１２ａに対して取付爪１４ａが突出しないとは、取付爪１４ａの先端縁が、押当面１２ａよりも後退しているか、あるいは押当面１２ａと一致していることを意味する。台座部１２は端子基台２３に重なる大きさを有しているから押当面１２ａは面積が比較的大きく、壁面などの作業面に押当面１２ａを当接させた状態において、取付カバー１が作業面に対して傾かないようになっている。また、取付爪１４ａは押当面１２ａから突出しないから作業面に当接せず、電線を端子片２５に接続する際に押当面１２ａを作業面に押し付けても作業面に傷を付けることがない。
【００２５】
ツイストペアケーブル６の電線６１を端子片２５に接続するにあたっては、図３、図４に示す形状の工具（いわゆる、インパクトツール）５を用いることができる。この工具５は、電線保持溝２６ａに挿入可能な押込片５１を先端部に備え、押込片５１の先端縁には端子片２５を跨ぐ押溝５２が形成される。押込片５１の一方の側縁には押込片５１の先端縁よりも突出するカッタ部５３が一体に形成される。カッタ部５３は、図４のように、押込片５１で電線保持溝２６ａに押し込んだ電線６１の余剰部分を端子基台２３に押し付けることによって電線６１の余剰部分を切断するために設けられている。したがって、図４に示す工具５を用いることにより、電線保持溝２６ａに電線６１を挿入し押込片５１で電線を押さえると、電線６１が端子片２５に接続された後に、電線６１の一部がカッタ部５３と端子基台２３との間に挟まれることによって電線６１が切断されるのであって、電線６１の接続と余剰部分の切断という一連の作業を工具５を押し込むだけの作業で連続して行うことができる。なお、カッタ部５３との間で電線６１を挟むために接続壁２６は端子基台２３の側縁から後退して設けられている。工具５は、電線６１の接続と切断という一連の作業を行うために、衝撃力を発生させる機構を有しており、端子基台２３には比較的大きい力が瞬間的に作用するが、上述したように、取付カバー１には押当面１２ａを形成しているから、工具５による作業時に壁面のような作業面に押当面１２ａを当接させており、工具５から受ける力を比較的広い面積の押当面１２ａで受けるから、端子基台２３がぐらつくことがなく、また作業面に傷を付けることがない。
【００２６】
扉ブロック３は、モジュラジャック本体２のプラグ差込口２１を開閉する１枚の扉体３１を有し、取付カバー１の前枠部１１の前面との間に扉体３１を保持するように取付カバ１に結合される保持カバー３２を有する。また、取付カバー１と保持カバー３２との間に形成される空間には扉体３１のほかコイルばねからなる一対の復帰ばね３３が収納される。保持カバー３２には、前枠部１１の上下両端部の４箇所において前後方向に貫設した結合孔１１ｃに挿入される結合爪３２ａが突設され、結合爪３２ａの先端部が結合孔１１ｃに係止されることによって、保持カバー３２が取付カバー１に結合される。保持カバー３２にはモジュラジャック本体２のプラグ差込口２１と重なる部位に扉体３１で開閉される開閉口３４が貫設され、開閉口３４が開放された状態においてモジュラプラグをプラグ差込口２１に差し込むことができ、開閉口３４が閉塞された状態においてプラグ差込口２１に異物やほこりが入らないようにしている。
【００２７】
扉体３１は、復帰ばね３３によって開閉口３４を閉塞する向きに付勢される。扉体３１の左右両側部には、それぞれ復帰ばね３３の一端部に挿入されるばね受け突起３１ａが形成され、扉体３１と保持カバー３２の内周面との間で復帰ばね３３を保持することにより、扉体３１は復帰ばね３３によって開閉口３４を閉塞する向きに付勢される。扉体３１の前面には開閉口３４に挿入される操作片３１ｂが突設される。したがって、モジュラプラグを接続する際には、操作片３１ｂにモジュラプラグの一部を押し当てながら扉体３１を復帰ばね３３のばね力に抗して開き、露出したプラグ差込口２１にそのままモジュラプラグを挿入する。また、モジュラプラグを引き抜けば、復帰ばね３３のばね力により扉体３１が自動的に閉じる。
【００２８】
ところで、施工時にはモジュラジャックＡにツイストペアケーブル６の電線６１を接続した後に、図６、図７に示すように、モジュラジャックＡを配線器具用の取付枠４に取り付け、コンセントやスイッチのような配線器具の施工と同様に、取付枠４を壁面のような施工面に固定し、取付枠４の前面を覆う化粧プレート（図示せず）を取付枠４に結合する。取付枠４は、左右一対の取付片４１と、両取付片４１の長手方向（図６、図７における上下方向）の各一端間を連結する２本の梁片４２，４３とからなる矩形枠状に形成される。つまり、取付枠４は、取付片４１と梁片４２，４３とにより囲まれる矩形状に開口した窓孔４４を備える。
【００２９】
各取付片４１には、施工面に固定するための種々形状の固定具に対応した複数個の固定用孔４５ａ，４５ｂ，４５ｃが形成され、さらに化粧プレートなどを取り付けるためのねじ孔４５ｄが形成される。固定用孔４５ａは上下方向に長い長孔状であって、施工面に埋め込まれたスイッチボックスに螺合するボックスねじを挿入したり、挟み金具と称する固定具を用いる際に挟み金具に設けた引締ねじを回転操作したりするために用いる。挟み金具は、壁パネルのようなパネル状の部材で形成された施工面に取り付ける際に用いられる固定具であり、挟み片の一端部を固定用孔４５ｂに係止し、挟み片の中間部に螺合する引締ねじを固定用孔４５ａから回転操作することによって、挟み片の他端部と取付枠４との距離を変化させるものである。すなわち、施工面に施工孔を開設するとともに挟み片を施工孔に挿入し、引締ねじを回転操作して挟み片と取付枠４との間で施工孔の周部を挟持することにより、取付枠４を施工面に固定する。固定用孔４５ｃは木ねじを用いて取付枠４を施工面に直付けする際に用いる。
【００３０】
一方の梁片４２には、取付カバー１の各側面に設けた取付爪１４ａが挿入可能である２個１組の取付孔４２ａが３組形成される。つまり、６個の取付孔４２ａが形成される。梁片４２は、窓孔４４を囲む横片４２ｂと横片４２ｂにおける窓孔４４から離れた一端縁から後方に突出する縦片４２ｃとを有した断面Ｌ字状であって、横片４２ｂと縦片４２ｃとが交差する入隅部に取付孔４２ａが開口している。
【００３１】
他方の梁片４３は、梁片４２における横片４２ｂと対向し窓孔４４を囲む横片４３ｂと、横片４３ｂにおける窓孔４４から離れた一端縁から後方に突出する縦片とを有した断面Ｌ字状に形成されている。ただし、梁片４３における縦片は横片４３ｂに沿って延長された１本の主片４３ｃを備え、主片４３ｃの長手方向の両端部と中間部の２箇所との合計４箇所が連結片４３ｄを介して横片４３ｂに連結される。つまり、主片４３ｃは、隣り合う各一対の連結片４３ｄにより３区画に区分され、主片４３ｃにおいて各区画に対応する部位には、載置片４３ｅが連続一体に形成され、取付カバー１の各側面に設けた取付爪１４ａが挿入可能な隙間を横片４３ｂと載置片４３ｅとの間に形成する。さらに、載置片４３ｅの先端縁の中央部には取付カバー１に設けた２個の取付爪１４ａの間の距離に略一致する幅寸法を有した位置決め片４３ｆが連続一体に突設される。つまり、横片４３ｂと連結片４３ｄと載置片４３ｅと位置決め片４３ｆとに囲まれる部位に取付爪１４ａが挿入される取付孔４３ａが形成される。
【００３２】
したがって、モジュラジャックＡを取付枠４に装着するには、取付カバー１の一方の側面に突設した取付爪１４ａを一方の梁片４２に設けた取付孔４２ａに挿入し、次に、他方の梁片４３の主片４３ｃの内側面に取付カバー１の他方の側面に突設した取付爪１４ａの先端を当接させ、モジュラジャックＡを取付枠４に押し付けると、他方の梁片４３に設けた取付孔４３ａに取付爪１４ａが挿入される。取付枠４にモジュラジャックＡが装着された状態では、取付カバー１の肩部１３が横片４２ｂ，４３ｂの後面に当接するから、取付枠４に対するモジュラジャックＡの前方への移動が禁止され、取付枠４にモジュラジャックＡが保持される。
【００３３】
梁片４３における主片４３ｃは比較的長いから主片４３ｃの厚み方向に可撓性があり、また連結片４３ｄを介して主片４３ｃを横片４３ｂに連結しているから主片４３ｃはねじれ変形が可能であって、主片４３ｃに一体に設けた載置片４３ｅと横片４３ｂとの距離が可変になる。したがって、取付孔４３ａと取付爪１４ａとの係合状態を解除してモジュラジャックＡを取付枠４から取り外す際には、載置片４３ｅの先端縁と横片４３ｂとの距離を広げるように、マイナスドライバのような工具を用いて載置片４３ｅを撓ませればよい。ここに、取付カバー１には取付爪１４ａの間の部位に差込溝１３ａが形成されており、載置片４３ｅに対応する部位には差込溝１３ａが位置するから、載置片４３ｅと取付カバー１との間に差込溝１３ａによる隙間が形成され、工具を容易に挿入することができる。
【図面の簡単な説明】
【００３４】
【図１】本発明の実施の形態を示し、（ａ）は正面図、（ｂ）は側面図、（ｃ）は平面図である。
【図２】同上の分解斜視図である。
【図３】同上に電線を接続する作業例を示す斜視図である。
【図４】同上に電線を接続する作業例を示す要部拡大図である。
【図５】同上に用いるキャップを示す斜視図である。
【図６】同上に用いる取付枠を示す斜視図である。
【図７】同上に用いる取付枠を示す斜視図である。
【図８】従来例を示す斜視図である。
【符号の説明】
【００３５】
１  取付カバー
２  モジュラジャック本体
４  取付枠
１２  台座部
１２ａ  押当面
１４ａ  取付爪
２０  器体
２１  プラグ差込口
２４  コンタクト
２５  端子片
４２ａ  取付孔
４３ａ  取付孔
６１  電線
【図１】
2005310559.tif 000003
【図２】
2005310559.tif 000004
【図３】
2005310559.tif 000005
【図４】
2005310559.tif 000006
【図５】
2005310559.tif 000007
【図６】
2005310559.tif 000008
【図７】
2005310559.tif 000009
【図８】
2005310559.tif 000010